(57)【要約】【課題】マスク掛けが洗濯等で軟らかくなり難く、マスクの掛け紐を長期にわたって確実に掛けることができる作業用フードを提供する。【解決手段】着用者の頭部を覆いつつ、顔の少なくとも一部を露出させる開口部２を有する作業用フード１００であって、両側面にそれぞれマスクの掛け紐５０を掛けることが可能なマスク掛け２０が固定され、マスク掛けは、平板な樹脂製であると共に、略円盤状の本体部２１と、本体部の外縁２１ｅから突出する突出部２２とを一体に有し、記突出部が固定されていない。【選択図】図２
2020147856.tif 000002
【特許請求の範囲】
【請求項１】
着用者の頭部を覆いつつ、顔の少なくとも一部を露出させる開口部を有する作業用フードであって、
両側面にそれぞれマスクの掛け紐を掛けることが可能なマスク掛けが固定され、
前記マスク掛けは、平板な樹脂製であると共に、略円盤状の本体部と、該本体部の外縁から突出する突出部とを一体に有し、前記突出部が固定されていない作業用フード。
【請求項２】
前記突出部が前記本体部の外縁から後方に向かって突出する請求項１に記載の作業用フード。
【請求項３】
前記本体部の外縁よりも内側部分を前記作業用フードに縫い付けてなる請求項１又は２に記載の作業用フード。
【発明の詳細な説明】
【技術分野】
【０００１】
本発明は、クリーンルーム内や食品工場等での作業時に着用する作業用フード（ずきん）に関する。
【背景技術】
【０００２】
クリーンルーム内や食品工場等での作業時には、作業者は頭部を覆う作業用フード（ずきん）を着用し、顔面からの汗や髪の毛等の異物落下を防止している。この作業用フードとして、着用者のマスクの掛け紐を掛ける円盤状のマスク掛けを、フード両側面の着用者の耳部付近に縫い付ける技術が知られている（特許文献１）。
【先行技術文献】
【特許文献】
【０００３】
【特許文献１】特開２０１７−１９３８０８号公報（図２）
【発明の概要】
【発明が解決しようとする課題】
【０００４】
ところで、図１１に示すように、このマスク掛けは、円盤状の織物芯の外縁にバイアステープを縁取るように縫い付けて製造されるが、作業用フードを工業洗濯した際に糊が溶けて抜けたり、芯がへたってマスク掛けが軟らかくなり、マスクを掛け難くなったり、外れやすいという問題がある。
そこで、剛性の高いマスク掛けとして、樹脂製円盤状のものを使用することを想定したが、剛性が高い分、マスク掛けの外縁がまっすぐで変形しないので、作業用フードとの間の隙間が広がり難く、掛け紐を掛け難い。
【０００５】
すなわち、本発明は上記の課題を解決するためになされたものであり、マスク掛けが洗濯等で軟らかくなり難く、マスクの掛け紐を長期にわたって確実に掛けることができる作業用フードの提供を目的とする。
【課題を解決するための手段】
【０００６】
本発明の作業用フードは、着用者の頭部を覆いつつ、顔の少なくとも一部を露出させる開口部を有する作業用フードであって、両側面にそれぞれマスクの掛け紐を掛けることが可能なマスク掛けが固定され、前記マスク掛けは、平板な樹脂製であると共に、略円盤状の本体部と、該本体部の外縁から突出する突出部とを一体に有し、前記突出部が固定されていない。
【０００７】
この作業用フードによれば、突出部が固定されずに突出長さの自由端となるので、着用者の頭部を覆って半球状をなすフードにおいて、突出部の固定部から先端までの長さが本体部の外縁よりも長くなり、ひいてはそれに比例して突出部の先端とフードとの開き幅が大きくなる。
これにより、開き幅の部分からマスクの掛け紐を掛けやすくなる。又、マスク掛けは平板な樹脂製であるので、織物芯等に比べて剛性が高く、洗濯を繰り返しても軟らかくなり難く、マスクの掛け紐を長期にわたって確実に掛けることができる。
さらに、固定部からマスク掛けの外縁までの径方向の長さ（距離）は、マスク掛けが掛け紐を係止する長さとなるが、固定部から本体部の外縁までの径方向の長さに比べ、突出部の先端までの径方向の長さが突出長さの分だけ長いから、突出部にて掛け紐を確実に係止し、着用者の動き等でマスク掛けから掛け紐が脱落するのを防止できる。
【０００８】
前記突出部が前記本体部の外縁から後方に向かって突出してもよい。
マスクの掛け紐は、マスク掛けから前方の着用者に向かうため、突出部が後方に向かって突出すると、掛け紐が突出部に確実に引っ掛かるので、掛け紐が脱落し難い。つまり、突出部が後方に向かって突出することで、着用者に向かって前方に引っ張られる掛け紐の後端側を突出部で係止でき、掛け紐が脱落するのをより一層防止できる。
【０００９】
前記本体部の外縁よりも内側部分を前記作業用フードに縫い付けてもよい。
【発明の効果】
【００１０】
本発明によれば、マスク掛けが洗濯等で軟らかくなり難く、マスクの掛け紐を長期にわたって確実に掛けることができる作業用フードが得られる。
【図面の簡単な説明】
【００１１】
【図１】本発明の実施形態に係る作業用フードの正面図である。
【図２】作業用フードの側面図である。
【図３】作業用フードの上面図である。
【図４】マスク掛けの平面図である。
【図５】図４に続く図である。
【図６】上面から見たマスク掛け付近の部分拡大図である。
【図７】作業用フードの別の例を示す側面図である。
【図８】作業用フードのさらに別の例を示す側面図である。
【図９】マスク掛けの別の例を示す平面図である。
【図１０】図１の作業用フードにマスクを掛けた状態を示す図であり、図１０（ａ）は正面図、図１０（ｂ）は側面図である。
【図１１】従来のマスク掛けを示す平面図である。
【発明を実施するための形態】
【００１２】
以下、本発明の実施形態に係る作業用フードについて説明する。
図１は本発明の実施形態に係る作業用フードの正面図、図２は作業用フードの側面図、図３は作業用フードの上面図、図４及び図５はマスク掛けの平面図、図６は上面から見たマスク掛け付近の部分拡大図、図１０は作業用フードにマスクを掛けた状態を示す図であり、図１０（ａ）は正面図、図１０（ｂ）は側面図を示す。
【００１３】
図１、図２に示すように、作業用フード１００は着用者の頭部及び頸部を覆う頭巾状に形成され、着用者の顔の少なくとも一部を露出させる開口部２を有する。
作業用フード１００は、着用者の耳から後ろを覆うフード本体部１０と、フード本体部１０の前方に縫い付けられ、開口部２の上側と側方の周縁を構成する帯状伸縮性の上側縁取り布４と、上側縁取り布４の下側に縫い付けられ、開口部２の下側周縁を構成する帯状伸縮性の下側縁取り布６と、を有する。開口部２からは、着用者の顔面（通常、目、鼻、口）を露出させることができ、上側縁取り布４と下側縁取り布６が伸縮して着用者の顔面にフィットする。
【００１４】
さらに、フード本体部１０及び上側縁取り布４の上方には、鉢巻き状に着用者の額部を覆う略筒状の上部布１２が縫い付けられ、上部布１２の上面に着用者の頭頂部を覆うドーム状の頭頂部布１４が縫い付けられている。そして、上部布１２の前方には庇１６が縫い付けられている。
一方、フード本体部１０及び下側縁取り布６の下方には、胸部で２分割されて合わせられるエプロン１７，１８が縫い付けられている。
作業用フード１００は、織物や編物等から形成することができる。
【００１５】
そして、フード本体部１０の両側面の着用者の耳に対応する位置に、それぞれマスクの掛け紐５０を掛けることが可能なマスク掛け２０が縫い付けられている。
図４、図５に示すように、マスク掛け２０は、平板な樹脂製であると共に、略円盤状の本体部２１と、本体部２１の外縁２１ｅから後方に向かって突出する突出部２２とを一体に有している。
又、図４の例では、マスク掛け２０の中央に孔２０ｈが開口しているが、孔の有無は限定されない。
マスク掛け２０は、例えば樹脂板をプレス打ち抜き、または金型に射出して形成することができる。樹脂としてはシリコーンが挙げられる。樹脂の硬度があまり柔らかいと保形性が劣るので、樹脂の硬度としては、デュロメータ（ショア）硬度（タイプＡ）がＡ３０〜Ａ６０の中程度の硬さが挙げられる。
又、マスク掛け２０の寸法は、円部分直径３０〜６０ｍｍ，厚み１〜３ｍｍが例示できる。
【００１６】
又、図５に示すように、本体部２１の外縁２１ｅよりも内側部分が縫い目２５にて円周状にフード本体部１０に縫い付けられている。そして、マスク掛け２０にマスクの掛け紐５０を掛けると、縫い目２５部分でマスク掛け２０とフード本体部１０との間に沿って掛け紐５０が半円状に架け渡され、前方の着用者に向かうことになる。
なお、図２の例では、突出部２２の先端２０ｐは、水平方向後ろに向いている。
ここで、突出部２２が固定されずに本体部２１の外縁２１ｅから突出部２２までの径方向の長さＬが自由端となっている。
長さＬは、例えば５〜２０ｍｍ程度である。
【００１７】
図６に示すように、突出部２２が固定されずに突出長さＬの自由端となっていると、着用者の頭部を覆って半球状をなすフード本体部１０において、固定部である縫い目２５から突出部２２の先端までの長さが本体部２１の外縁２１ｅよりも長くなり、ひいてはそれに比例して突出部２２の先端とフード本体部１０との開き幅Ｗが大きくなる。
これにより、開き幅Ｗの部分からマスクの掛け紐５０を掛けやすくなる。又、マスク掛け２０は平板な樹脂製であるので、織物芯等に比べて剛性が高く、洗濯を繰り返しても軟らかくなり難く、マスクの掛け紐５０を長期にわたって確実に掛けることができる。
又、マスク掛け２０を剥き出しで使用できるので、マスク掛け２０に布等を被せる必要がない。
【００１８】
さらに、固定部である縫い目２５からマスク掛け２０の外縁までの径方向の長さ（距離）は、マスク掛け２０が掛け紐５０を係止する長さとなるが、縫い目２５から本体部２１の外縁２１ｅまでの径方向の長さＳに比べ、縫い目２５から突出部２２の先端までの径方向の長さが突出長さＬの分だけ長いから、突出部２２にて掛け紐５０を確実に係止し、着用者の動き等でマスク掛け２０から掛け紐５０が脱落するのを防止できる。
【００１９】
突出部２２は、本体部２１の外縁２１ｅから後方に向かって突出することが好ましい。マスクの掛け紐５０は、マスク掛け２０から前方の着用者に向かうため、突出部２２が後方に向かって突出すると、掛け紐５０が突出部２２に確実に引っ掛かるので、掛け紐５０が脱落し難い。つまり、突出部２２が後方に向かって突出することで、着用者に向かって前方に引っ張られる掛け紐５０の後端側を突出部２２で係止でき、掛け紐５０が脱落するのをより一層防止できる。
【００２０】
なお、図７に示すように、「後方に向かって突出する」とは、作業用フード１００の頭頂部の重心Ｇ（例えば、頭頂部布１４の輪郭から求めた重心）をマネキンの頭頂部の重心にあわせ、作業用フード１００をマネキンに被せたとき、当該重心Ｇを通って作業用フード１００の側面から垂直に垂らした垂線Ｎよりも突出部２２が後方に位置することをいう。
このような方法で求めた垂線Ｎは、作業用フード１００がマネキンからブレたりして必ずしも正確に求められるとはいえないから、ブレを考慮し、突出部２２がこの垂線よりも３０度以上の角度θをなして後方に位置するとより好ましい。角度θは４５度以上であるとさらに好ましい。
図７に示すように、角度θは垂線Ｎと、突出部２２の先端から本体部２１の中心Ｏに向かって引いた線分ＬＳとのなす角度である。
なお、作業用フード１００の縫製による前後の布の縫い線が、マネキンに被せたときにほぼ垂直に延びるときは、この縫い線を垂線Ｎとみなしてθを求めてもよい。
【００２１】
本発明は上記実施形態に限定されず、本発明の思想と範囲に含まれる様々な変形及び均等物に及ぶことはいうまでもない。
突出部は後方に向いていればよく、例えば図７の作業用フード１１０に示すように、例えば突出部２２の先端２０ｐが水平方向より約４５度上方の後ろに向いていてもよい。
又、突出部２２の取付位置も耳付近に限定されず、例えば図８の作業用フード１２０に示すように、着用者の耳の上方である上部布１２に固定してもよい。
マスク掛けの形状も限定されず、例えば図９のマスク掛け３０のように、マスク掛け２０よりも突出長さＬが短い突出部３２を有してもよい。
作業用フードへのマスク掛けの固定方法も縫製に限定されず、ハト目やリベット等による固定も可能である。但し、金属製のリベット等は、作業によっては金属探知機にて異物を検知する際に異物と判断されることがあるので、樹脂製のリベット等が好ましい。
【符号の説明】
【００２２】
２                  開口部
２０、３０      マスク掛け
２１、３１      本体部
２２、３２      突出部
２１ｅ      本体部の外縁
５０      マスクの掛け紐
１００，１１０，１２０      作業用フード
【図１】
2020147856.tif 000003
【図２】
2020147856.tif 000004
【図３】
2020147856.tif 000005
【図４】
2020147856.tif 000006
【図５】
2020147856.tif 000007
【図６】
2020147856.tif 000008
【図７】
2020147856.tif 000009
【図８】
2020147856.tif 000010
【図９】
2020147856.tif 000011
【図１０】
2020147856.tif 000012
【図１１】
2020147856.tif 000013